(57)【特許請求の範囲】
【請求項１】
外装材と、該外装材との間に空気が流れる通気層を介して配された断熱材と、該断熱材の屋内側に配された内装材と、該内装材の屋内側に貼り付けられた内装仕上げ材とを含む夏型結露を防止するための外壁構造であって、
前記断熱材の前記通気層に面する外面に防湿層が配されるととともに、
前記防湿層の透湿抵抗Ａ（ｍ2・ｈ・mmHg／ｇ）と、前記断熱材よりも屋内側の透湿抵抗Ｂ（ｍ2・ｈ・mmHg／ｇ）との比（Ａ／Ｂ）が２以上であることを特徴とする夏型結露を防止するための外壁構造。
【請求項２】
前記透湿抵抗Ａが１３（ｍ2・ｈ・mmHg／ｇ）以上である請求項１記載の夏型結露を防止するための外壁構造。
【請求項３】
前記透湿抵抗Ｂが８５（ｍ2・ｈ・mmHg／ｇ）以下である請求項１又は２記載の夏型結露を防止するための外壁構造。
【発明の詳細な説明】
【技術分野】
【０００１】
本発明は、蒸暑地等における夏型結露を有効に防止するのに役立つ外壁構造に関する。
【背景技術】
【０００２】
例えば、図５（ａ）に示されるように、冬型結露を防止するための外壁構造ａが提案されている。この外壁構造ａは、外装材ｂと、該外装材ｂとの間に空気ｓが流れる通気層ｃを介して配された断熱材ｄと、該断熱材ｄの屋内側ｉに配された内装材ｅと、断熱材ｄの通気層ｃに面する外面に配された透湿防水層ｈと、内装材ｅと断熱材ｄとの間に配された防湿層ｇとを含んでいる。これらの構成部材は、防湿層ｇを除いて、いずれも透湿性を有する。
【０００３】
このような外壁構造ａでは、冬季の壁内結露を有効に防止することができる。即ち、屋内側ｉで暖房等が行なわれることにより、屋内側ｉが高温高湿、かつ屋外側ｏが低温低湿となるため、湿気ｍの流れｆ１は、屋内側ｉから屋外側ｏへと向かうが、防湿層ｇによって、湿気ｍの壁内への流入が防止される。また、壁内に湿気ｍが流入しても、その主要部は通気層ｃに流れる空気ｓによって外部へと排出され、壁内結露を有効に防止しうる。関連する先行技術として、次のものがある。
【先行技術文献】
【特許文献】
【０００４】
【特許文献１】特開２００７−０７０８６４号公報
【発明の概要】
【発明が解決しようとする課題】
【０００５】
ところで、上記外壁構造ａは、冬季の壁内結露に対しては有効ではあるが、蒸暑地等の夏季において、壁内結露が生じやすいという問題があった。
【０００６】
即ち、図５（ｂ）に示されるように、蒸暑地等の夏季においては、外気自体に大量の湿気ｍを含むとともに、屋内側ｉで冷房が行われるため、屋外側ｏが高温多湿、かつ屋内側ｉが低温低湿となる。このため、湿気ｍの流れｆ２が、屋外側ｏから屋内側ｉへと向かい、該湿気ｍが、防湿層ｇの屋外側ｏの表面で冷やされて結露が生じやすいという問題がある。
【０００７】
本発明は、以上のような問題点に鑑み案出なされたもので、断熱材の通気層に面する外面に防湿層を配するとともに、防湿層の透湿抵抗Ａと、前記断熱材よりも屋内側の透湿抵抗Ｂとを一定範囲に限定することを基本として、夏型結露を有効に防止しうる外壁構造を提供することを目的としている。
【課題を解決するための手段】
【０００８】
本発明のうち請求項１記載の発明は、外装材と、該外装材との間に空気が流れる通気層を介して配された断熱材と、該断熱材の屋内側に配された内装材と、該内装材の屋内側に貼り付けられた内装仕上げ材とを含む夏型結露を防止するための外壁構造であって、前記断熱材の前記通気層に面する外面に防湿層が配されるととともに、前記防湿層の透湿抵抗Ａ（ｍ2・ｈ・mmHg／ｇ）と、前記断熱材よりも屋内側の透湿抵抗Ｂ（ｍ2・ｈ・mmHg／ｇ）との比（Ａ／Ｂ）が２以上であることを特徴とする。
【０００９】
また、請求項２記載の発明は、前記透湿抵抗Ａが１３（ｍ2・ｈ・mmHg／ｇ）以上である請求項１記載の夏型結露を防止するための外壁構造である。
【００１０】
また、請求項３記載の発明は、前記透湿抵抗Ｂが８５（ｍ2・ｈ・mmHg／ｇ）以下である請求項１又は２記載の夏型結露を防止するための外壁構造である。
【発明の効果】
【００１１】
本発明の夏型結露を防止するための外壁構造は、外装材と、該外装材との間に空気が流れる通気層を介して配された断熱材と、該断熱材の屋内側に配された内装材と、該内装材の屋内側に貼り付けられた内装仕上げ材とを含む。
【００１２】
前記断熱材の前記通気層に面する外面には、防湿層が配されるととともに、前記防湿層の透湿抵抗Ａ（ｍ2・ｈ・mmHg／ｇ）と、前記内装仕上げ材を含んだ前記内装材の透湿抵抗Ｂ（ｍ2・ｈ・mmHg／ｇ）との比（Ａ／Ｂ）が２以上に限定される。
【００１３】
このような外壁構造は、屋外側が高温多湿かつ屋内側が低温低湿となる蒸暑地等の夏季において、屋外側からの湿気の流れを、透湿抵抗Ａの大きな防湿層で遮断し、湿気が断熱材内に浸入するのを効果的に防止しうる。
【００１４】
さらに、断熱材内に僅かに浸入した湿気は、透湿抵抗Ｂの小さい内装材及び内装仕上げ材から屋内側に排出されるので、断熱材内に湿気が滞留するのを効果的に抑制でき、夏型結露を効果的に防止しうる。
【図面の簡単な説明】
【００１５】
【図１】本実施形態の外壁構造を示す断面図である。
【図２】図１の拡大図である。
【図３】壁内の相対湿度（％ＲＨ）、及び比（Ａ／Ｂ）の関係をシミュレーションした結果を示したグラフである。
【図４】（ａ）、（ｂ）は壁内の相対湿度（％ＲＨ）、及び比（Ａ／Ｂ）の関係をシミュレーションした結果を示すグラフである。
【図５】（ａ）、（ｂ）は従来の外壁構造を示す断面図である。
【発明を実施するための形態】
【００１６】
以下、本発明の実施の一形態が図面に基づき説明される。
図１に示されるように、本実施形態の夏型結露を防止するための外壁構造（以下、単に「外壁構造」ということがある）１は、屋外側Ｈｏに配される外装材２と、該外装材２との間に空気が流れる通気層３を介して配された断熱材４と、該断熱材４の屋内側Ｈｉに配された内装材５と、該内装材５の屋内側Ｈｉに貼り付けられた内装仕上げ材６とを含み、主に、夏季に高温多湿となる蒸暑地の住宅等に用いられる。
【００１７】
これらの構成部材は、例えば、矩形に枠組みされた枠体７によって支持されてパネル状に形成され、例えば屋根梁８と土台９との間に固定される。この枠体７は、例えば木質材又は金属材等からなり、外壁構造１の上端側を水平にのびる上の枠材７Ａと、下端側を水平にのびる下の枠材７Ｂと、これらの間を左右両端で継ぐ左右の枠材（図示省略）とを含み、各枠材７Ａ、７Ｂ間を水平及び垂直方向にのびて継ぐ各種の桟材（図示省略）が設けられる。
【００１８】
前記外装材２は、前記枠体７の屋外側Ｈｏかつ上下に、例えばスペーサ１１Ａ、１１Ｂを介して取り付けられる。この外装材２には、例えば、ＡＬＣ等の発泡コンクリートパネルや、セメントと木質補強材料との原料混合物のスラリーを養生硬化させた窯業系外装パネルなどが用いられるのが望ましい。
【００１９】
また、スペーサ１１Ａ、１１Ｂには、通気層３と屋外との間で空気を連通させる開口１２が設けられる。
【００２０】
前記通気層３は、外装材２と断熱材４との間で上下にのびる空隙からなり、スペーサ１１Ａ、１１Ｂの開口１２から案内された外気Ｓを上下に通過させ、該通気層３内に滞留した湿気を、例えば軒裏換気口１４等から屋外へ排出しうる。
【００２１】
前記断熱材４は、例えば、枠体７の内部に隙間なく配置される。この断熱材４には、例えば、ロックウールや、グラスウール等の繊維材等の他、耐水性及び軽量性に優れるポリスチレンフォーム等の樹脂材が用いられる。
【００２２】
図２に拡大して示されるように、断熱材４の通気層３に面する外面４ｏに、シートからなる防湿層１３が配される。
【００２３】
そして、本実施形態では、前記防湿層１３の透湿抵抗Ａ（ｍ2・ｈ・mmHg／ｇ）と、前記内装仕上げ材６を含んだ前記内装材の透湿抵抗Ｂ（ｍ2・ｈ・mmHg／ｇ）との比（Ａ／Ｂ）が２以上に限定される。
【００２４】
なお、本明細書において、前記透湿抵抗は、ＪＩＳ Ａ  １３２４、又はＪＩＳ  Ｚ  ０２０８におけるカップ法に準拠して測定される値である。
【００２５】
このような外壁構造１は、防湿層１３が、外気自体に大量の湿気が含まれる蒸暑地の夏季において、屋内側で冷房が行われることにより生じる、屋外側Ｈｏから屋内側Ｈｉへと向かう湿気Ｍの流れＦを遮断でき、断熱材４の内部に湿気Ｍが浸入するのを抑制しうる。さらに、遮断された湿気Ｍは、通気層３内に生じる外気Ｓの流れによって屋外に排出され、外壁構造１の内部で滞留するのが抑制される。
【００２６】
また、内装仕上げ材６を含んだ内装材５は、透湿抵抗Ｂが小さいため、防湿層１３と内装材５との間に侵入した湿気Ｍを、低温低湿の屋内側Ｈｉへ効果的に排出でき、例えば、断熱材４の内部等の壁内で結露が生じることを抑制しうる。
【００２７】
従って、本実施形態の外壁構造１は、断熱材４の屋外側Ｈｏに配される防湿層１３と、断熱材４の屋内側Ｈｉに配される透湿性に優れた内装材５との相乗効果により、蒸暑地の夏季において、断熱材４の内部等の壁内で結露が生じることを抑制でき、夏型結露を効果的に防止しうる。
【００２８】
図３には、防湿層１３の透湿抵抗Ａと、内装仕上げ材６を含んだ内装材５の透湿抵抗Ｂとの比（Ａ／Ｂ）を種々変更した外壁構造１における断熱材４の内面４ｉ近傍における相対湿度（％ＲＨ）を、非定常熱湿気計算プログラム（Ｈ＆Ｍ）を用いてシミュレーションした結果が示される。このグラフでは、相対湿度が８５（％ＲＨ）以下であれば、夏型結露を効果的に防止することができることが示される。
シミュレーション条件：
透湿抵抗Ａ（ｍ2・ｈ・mmHg／ｇ）：可変
透湿抵抗Ｂ（ｍ2・ｈ・mmHg／ｇ）：６．６６（固定）
通気層への換気：３０回／hr
蒸暑地の気象条件（一時間毎の温湿度データ（１年分））：
年平均：
気温：２３．８℃
湿度：７２．５％ＲＨ
夏季平均（６／１５〜９／１５）：
気温：２８．９℃
湿度：７２．５％ＲＨ
屋内：
平均室温：１８℃
平均湿度：７０％ＲＨ
【００２９】
このグラフから明らかなように、前記比（Ａ／Ｂ）を２以上とすることにより、前記相対湿度が８５（％ＲＨ）以下に保たれ、夏型結露を効果的に防止しうることが確認できる。
【００３０】
また、図４には、非定常熱湿気計算プログラム（Ｈ＆Ｍ）を使用して、前記透湿抵抗Ａ、透湿抵抗Ｂ、及び前記条件をそれぞれ設定し、１年間の蒸暑地における断熱材４の内面４ｉ近傍の相対湿度（％ＲＨ）をシミュレーションした結果が示される。
【００３１】
この結果からも明らかなように、防湿層１３の透湿抵抗Ａ、及び内装仕上げ材６を含んだ内装材５の透湿抵抗Ｂを種々変更したとしても、比（Ａ／Ｂ）を２以上とすることにより、前記相対湿度が８５（％ＲＨ）以下に保たれ、夏型結露を効果的に防止しうることが確認できる。
【００３２】
なお、前記比（Ａ／Ｂ）が２未満であると、上記のような作用を効果的に発揮できないおそれがある。逆に、前記比（Ａ／Ｂ）は、大きければ大きいほどよく、さらに好ましくは５以上が望ましい。なお、一般的な防湿層１３（透湿抵抗Ａ：１７０（ｍ2・ｈ・mmHg／ｇ））と、石膏ボード（透湿抵抗Ｂ：０．６６（ｍ2・ｈ・mmHg／ｇ））とを組合せた場合には、前記比（Ａ／Ｂ）として、２５７．６の値も考えられる。
【００３３】
また、屋外側Ｈｏから屋内側Ｈｉへと向かう湿気Ｍの流れＦをより効果的に遮断するために、前記比（Ａ／Ｂ）は、好ましくは２以上、さらに好ましくは５以上が望ましい。
【００３４】
なお、防湿層１３には、上記透湿抵抗Ａを有するものであれば特に限定されないが、例えば、塩化ビニルや、ポリエチレンテレフタレート等の熱可塑性剛性樹脂フィルム、金属箔、アスファルトルーフィング等、又はこれらを組み合わせた積層体等が用いられるのが望ましい。この防湿層１３は、断熱材４の外面４ｏの全面に配されるのが望ましく、また、接着剤、両面テープ、又はステープル等を用いて固着されるのが望ましい。
【００３５】
また、防湿層１３と内装材５との間に侵入した湿気Ｍを、低温低湿の屋内側Ｈｉへ効果的に排出するために、内装仕上げ材６を含んだ内装材５の透湿抵抗Ｂは、より好ましくは８５（ｍ2・ｈ・mmHg／ｇ）以下、さらに好ましくは３３（ｍ2・ｈ・mmHg／ｇ）以下が望ましい。
【００３６】
なお、内装材５及び内装仕上げ材６には、上記透湿抵抗Ｂを有するものであれば特に限定されない。例えば、内装材５には石膏ボード等が用いられるのが望ましく、内装仕上げ材６には平織壁紙などの織物壁紙、洋紙壁紙などの木質系壁紙等が用いられるのが望ましい。
【００３７】
以上、本発明の特に好ましい実施形態について詳述したが、本発明は図示の実施形態に限定されることなく、種々の態様に変形して実施しうる。
【実施例】
【００３８】
図１に示す基本構造をなし、表１に示す防湿層、内装材、及び内装仕上材を有する外壁構造をシミュレーションし、それらの性能が評価された。なお、共通仕様は次のとおりである。
【００３９】
外装材：
材料：窯業系サイディング
厚さ：１５mm
断熱材：
材料：グラスウール１６Ｋ
厚さ：１００mm
テスト方法は、次の通りである。
【００４０】
＜夏型結露に対する耐久性＞
下記条件において、各外壁構造の断熱材の内面近傍における相対湿度（％ＲＨ）をシミュレーションした。評価は、次のとおりである。
○：相対湿度が８５（％ＲＨ）以下であり、夏型結露を防止しうる。
×：相対湿度が８５（％ＲＨ）を超え、夏型結露が発生するおそれがある。
シミュレーション条件：
透湿抵抗Ａ（ｍ2・ｈ・mmHg／ｇ）：８パターン
透湿抵抗Ｂ（ｍ2・ｈ・mmHg／ｇ）：３パターン
蒸暑地の気象条件（一時間毎の温湿度データ（１年分））：
年平均：
気温：２３．８℃
湿度：７２．５％ＲＨ
夏季平均（６／１５〜９／１５）：
気温：２８．９℃
湿度：７２．５％ＲＨ
屋内：
平均室温：１８℃
平均湿度：７０％ＲＨ
結果を表１に示す。
【００４１】
【表１】
0005635934.tif 000002
【００４２】
実施例の外壁構造は、蒸暑地等における夏型結露を有効に防止するのに役立つことが確認できた。
【符号の説明】
【００４３】
１      外壁構造
２      外装材
３      通気層
４      断熱材
５      内装材
６      内装仕上げ材
１３      防湿層
【図１】
0005635934.tif 000003
【図２】
0005635934.tif 000004
【図３】
0005635934.tif 000005
【図４】
0005635934.tif 000006
【図５】
0005635934.tif 000007